(57)【特許請求の範囲】
【請求項１】
ベルト等の取付部から一体に突き出される弾性脚を有し、かつ、この弾性脚の先端側に頭部を有する雄部材と、
ベルト等の取付部と、前記雄部材の弾性脚の差し入れ開口と、この差し入れ開口からの雄部材の弾性脚の差し入れに伴って当該弾性脚の前記頭部に内面を摺接させて当該弾性脚を弾性変形させる前記差し入れ開口に続く縦側板部及び当該差し入れ開口に続く横側板部の一方と、当該一方の横側板部と当該縦側板部の一部を欠切するようにして形成された前記雄部材の弾性脚の頭部の突き出される窓穴とを有する雌部材とを備えると共に、
この雌部材の窓穴が、前記差し入れ開口から弾性変形されながら当該雌部材に差し入れられた前記雄部材の弾性脚の弾性復帰により、前記窓穴から突き出された当該雄部材の弾性脚の頭部に対し、前記差し入れ開口側にある前記縦側板部側の窓縁部と、前記一方の横側板部側の窓縁部とで掛合して、当該頭部を留め付ける構成としてあり、
しかも、前記雄部材の弾性脚の弾性変形の向きが、この弾性変形により、当該雄部材の弾性脚の頭部と前記雌部材における前記窓穴の縦側板部側の窓縁部との掛合及び当該窓穴の前記一方の横側板部側の窓縁部との掛合を解く斜め内向きとなるようしてあることを特徴とするバックル。
【請求項２】
少なくとも、雄部材の弾性脚の弾性変形部分の断面形状が、雌部材への差し入れ方向に沿った縦方向にある仮想の面に対し、斜めに交叉する向きに長くなるように構成してあることを特徴とする請求項１記載のバックル。
【請求項３】
少なくとも、雄部材の弾性脚の弾性変形部分の断面形状が、略円形状となるように構成してあることを特徴とする請求項１記載のバックル。
【請求項４】
弾性脚の側方に、当該弾性脚と共に前記雌部材内に差し入れられる脚体を有し、この脚体の差し入れ先端が前記弾性脚の差し入れ先端よりも前方に位置されると共に、この脚体が前記雌部材内への当該弾性脚の差し入れに伴って前記弾性脚の頭部が摺接される前記雌部材の横側板部に当該頭部の摺接に先立って摺接される構成としてあることを特徴とする請求項１、請求項２又は請求項３記載のバックル。
【請求項５】
雌部材の縦側板部の内面が差し入れ開口側から窓穴側に向けて次第に内側に突き出すように傾斜していることを特徴とする請求項１、請求項２、請求項３又は請求項４記載のバックル。
【発明の詳細な説明】
【０００１】
【発明の属する技術分野】
この発明は、それぞれベルトなどの取付部を有し、この取付部をもってベルトなどに取り付けられる雌部材と雄部材とを備え、雌部材への雄部材の弾性脚の差し入れに伴う弾性変形とこれに続く弾性復帰により、当該雌部材に雄部材を掛合、留め付け、これにより雌部材の取り付けられたベルトなどと雄部材の取り付けられたベルトなどとを連結状態とする用途などで用いられるバックルの改良に関する。
【０００２】
【従来の技術】
二つのベルトなどをワンタッチで連結状態とし、また、この連結状態を容易に解除可能なバックルとして、例えば、特公平１−１２４８１公報に示されるバックルのような、いわゆるサイドリリースタイプのバックルがある。
【０００３】
かかるバックルは、幅広の側壁、幅狭の上下壁、この幅狭の上下壁の一部と幅広の側壁の一部とに亙って設けられるスロットを備えた筒体よりなる雌部材と、一対の可撓アームを備えると共に、この可撓アームの先端に係止指圧部を備えた雄部材とからなる。そして、雌部材内への雄部材の一対の可撓アームの差し入れに伴ってこの一対の可撓アームを内向きに撓み込ませると共に、この可撓アームにおける前記係止指圧部が前記スロットに臨む位置までの差し入れをなすことにより、かかる可撓アームを弾性復帰させて前記スロットからかかる係止指圧部を突き出させ、この係止指圧部を前記筒体における幅狭の上下壁の幅方向に沿った前記スロットの縁に掛合させることができる構成としてある。また、この掛合は前記スロットから突き出される係止指圧部を押圧して前記可撓アームを内向きに撓み込ませることで解除できる構成としてある。
【０００４】
【発明が解決しようとする課題】
しかるに、かかる従来のバックルにあっては、前記可撓アームが、前記筒体の内側から前記幅狭の上下壁に向けて当該上下壁の壁面に略直交する向きに移動されるに留まるものであるため、前記係止指圧部と前記スロットとの掛合は、前記のように当該スロットにおける前記上下壁の幅方向に沿った一側縁においてのみなされるものであった。
【０００５】
また、前記スロットは、前記係止指圧部が前記移動により突き出される大きさに幅狭の上下壁に設けられる必要があるため、前記掛合状態において、この係止指圧部の前記筒体の幅広の側壁側に向けられた側面と、この幅広の側壁の外面との間には、必然的に段差を形成させるものであった。
【０００６】
一方、この種のバックルとしてはまた、例えば、特公平２−２８３２４公報に示されるバックルのような、いわゆるフロントリリースタイプのバックルがある。
【０００７】
このバックルは、幅広の頂壁と幅狭の一対の側壁とを有すると共に、かかる頂壁に開口を備えた筒形本体と、この筒形本体の開口から突き出される段状突出部を備えた舌状部を有する挿入体とを有している。筒形本体内には、挿入体の舌状部の差し入れ方向奥側に向けて前記頂壁側に高まる傾斜を備えた可撓壁が設けてある。そして、筒形本体への挿入体の舌状体の挿入に伴って当該可撓壁を弾性変形させながらこの舌状体を受け入れ、かつ、この舌状体の段状突出部が前記開口に臨んだ位置でかかる可撓壁を弾性復帰させて当該段状突出部をかかる開口に入り込ませ、この開口に掛合させることができる構成としてある。
【０００８】
かかるバックルにあっては、前記掛合状態において、前記頂壁の外面と前記段状突出部の先端面とを同面にさせることが可能であり、この頂壁をバックル使用状の正面とする場合のバックルの外観性を比較的高く確保することができる。
【０００９】
しかるに、かかるバックルにあっては、一般に、前記掛合を解くにあたり、前記段状突出部を押し込ませるために、この段状突出部を片手の指で押圧しながらもう一方の手で筒形本体を把持する必要があり、片手の操作でかかる掛合解除をなし難いものであった。
【００１０】
そこでこの発明は、かかる従来の技術の問題点を解消すること、特に、第一に、雄部材と雌部材との掛合の解除操作を片手でも解き易いサイドリリースタイプのバックルでありながら、バックルの使用上正面となる側において雄部材の弾性脚の掛合部分と雌部材の掛合穴縁部との間に段差が形成され難いようにして、バックルの外観性を向上させることを目的とする。また、第二に、雄部材の弾性脚の掛合部分と雌部材の掛合穴との掛合を、向きの異なる二つの位置でなさしめることにより、当該掛合力を高く確保できるようにすることを目的とする。
【００１１】
【課題を解決するための手段】
前記目的を達成するために、請求項１記載の発明にあっては、バックルが以下の（１）〜（４）の構成を備えたものとした。
（１） ベルト等の取付部から一体に突き出される弾性脚を有し、かつ、この弾性脚の先端側に頭部を有する雄部材と、
（２）ベルト等の取付部と、前記雄部材の弾性脚の差し入れ開口と、この差し入れ開口からの雄部材の弾性脚の差し入れに伴って当該弾性脚の前記頭部に内面を摺接させて当該弾性脚を弾性変形させる前記差し入れ開口に続く縦側板部及び当該差し入れ開口に続く横側板部の一方と、当該一方の横側板部と当該縦側板部の一部を欠切するようにして形成された前記雄部材の弾性脚の頭部の突き出される窓穴とを有する雌部材とを備えると共に、
（３）この雌部材の窓穴が、前記差し入れ開口から弾性変形されながら当該雌部材に差し入れられた前記雄部材の弾性脚の弾性復帰により、前記窓穴から突き出された当該雄部材の弾性脚の頭部に対し、前記差し入れ開口側にある前記縦側板部側の窓縁部と、前記一方の横側板部側の窓縁部とで掛合して、当該頭部を留め付ける構成としてあり、
（４）しかも、前記雄部材の弾性脚の弾性変形の向きが、この弾性変形により、当該雄部材の弾性脚の頭部と前記雌部材における前記窓穴の縦側板部側の窓縁部との掛合及び当該窓穴の前記一方の横側板部側の窓縁部との掛合を解く斜め内向きとなるようしてある。
【００１２】
かかる構成によれば、前記頭部を、前記窓穴に対し、この窓穴の前記差し入れ開口側にある縦側板部側の窓縁部と横側板部側の窓縁部との双方において、前記弾性脚の弾性復帰により十分な掛合代を持たせて掛合させることができ、かかる掛合力を比較的強固なものとすることができる。
【００１３】
また、前記弾性脚の弾性復帰により、前記頭部の前記雌部材の横側板部側の一側面を、当該横側板部の外面との間に外観上目立つギャップを生じさせないように前記掛合時において位置付けることができ、かかる頭部の当該一側面が位置付けられる側の当該雌部材の横側板部の外面を化粧面、つまり、バックル正面とするようにバックルを構成した場合における当該バックルの外観性を向上させることができる。
【００１４】
また、請求項２記載の発明にあっては、前記請求項１記載のバックルにおける、少なくとも、雄部材の弾性脚の弾性変形部分の断面形状が、雌部材への差し入れ方向に沿った縦方向にある仮想の面に対し、斜めに交叉する向きに長くなるように構成してあるものとした。
【００１５】
かかる構成によれば、前記掛合状態において、前記窓穴における縦側板部側の窓縁部および横側板部側の窓縁部の双方に掛合される当該頭部を、かかる窓穴を利用して内向きに押圧すると、概、前記弾性脚の弾性変形部分の断面において薄い向き、すなわち、この弾性脚の弾性変形部分の幅狭方向に向けて当該弾性脚は弾性変形され、これにより、前記両穴縁部の双方との掛合を同時に解くように前記頭部を斜め内向きに移動させることができる。そして、この頭部の移動により、この頭部と前記窓穴との掛合を解いて、前記雌部材内から雄部材の一対の弾性脚を抜き出させ、両部材に取り付けられた前記ベルトなどの連結状態を解除することができる。
【００１６】
また、請求項３記載の発明にあっては、請求項１記載のバックルにおける、少なくとも、雄部材の弾性脚の弾性変形部分の断面形状が、略円形状となるように構成してあるものとした。
【００１７】
かかる構成によれば、弾性脚はどの向きにも撓み変形させ易いことから、この場合にあっても、前記雄部材と雌部材の掛合状態において、当該雄部材の弾性脚の頭部が前記雌部材の窓穴における縦側板部側の窓縁部および横側板部側の窓縁部の双方からの掛合を解くように、当該窓穴から突き出されている前記頭部を押圧操作して前記弾性脚を弾性変形させることができる。
【００１８】
また、請求項４記載の発明にあっては、請求項１、請求項２又は請求項３記載のバックルにおける雄部材が、弾性脚の側方に、当該弾性脚と共に前記雌部材内に差し入れられる脚体を有し、この脚体の差し入れ先端が前記弾性脚の差し入れ先端よりも前方に位置されると共に、前記雌部材内への当該弾性脚の差し入れに伴って前記弾性脚の頭部が摺接される前記雌部材の横側板部に当該頭部の摺接に先立って摺接される構成とした。
【００１９】
かかる構成によれば、前記脚体を、前記雄部材の弾性脚の雌部材内への差し入れに伴って、当該弾性脚の頭部の前記横側板部への摺接に先立って雌部材の前記横側板部に摺接させて、前記弾性脚の頭部を前記横側板部に対し当該弾性脚を弾性変形させるように確実かつ十分に摺接させることができる。
【００２０】
また、請求項５記載の発明にあっては、請求項１、請求項２、請求項３又は請求項４記載のバックルにおける縦側板部が、差し入れ開口側から窓穴側に向けて、次第に内側に突き出すように傾斜した構成とした。
【００２１】
かかる構成によれば、前記雌部材内への前記雄部材の弾性脚の差し入れに伴って当該弾性脚は次第に内向きに撓み込まされるものとされ、かかる差し入れを無理なくなすことができる。
【００２２】
【発明の実施の形態】
以下、図１ないし図２４に基づいて、この発明の典型的な実施の形態について、説明する。
【００２３】
なお、ここで図１および図２は、この実施の形態にかかるバックルの全体構成を理解し易いように、当該バックルを構成する雄部材１と雌部材２とを分離して斜視の状態として示しており、図１と図２とでは見る向きが反対となっている。また、図３は、かかる分離状態を側方から見て、また、図４は、かかる分離状態を平面視の状態として、特に、雌部材２を断面にして、それぞれ示している。また、図５は、雄部材１を一対の弾性脚１０、１０の突き出し側から視た状態として、特に、一方の弾性脚１０を断面にして、また、図７は、雌部材２を差し入れ開口側から視た状態として、それぞれ示している。
【００２４】
また、図７ないし図９は、雌部材２との掛合位置に向けて当該雌部材２内に一対の弾性脚１０、１０を差し入れている状態にある、または、雌部材２との掛合を解いて当該雌部材２内から一対の弾性脚１０、１０を抜き出している状態にある雄部材１と、当該雌部材２とをそれぞれ示しており、特に、図７は、かかる雄部材１と雌部材２とを側方から視て、また、図８は、雌部材２を断面にした平面視の状態として、また、図９は縦断面の状態として、それぞれ示している。
【００２５】
また、図１０ないし図１３は、掛合状態にある雄部材１と雌部材２とをそれぞれ示しており、特に、図１０は、かかる雄部材１と雌部材２とを側方から視て、また、図１１は、雌部材２を断面にした平面視の状態として、また、図１２および図１３は縦断面の状態として、それぞれ示している。
【００２６】
さらに、図１４ないし図１７は、前記掛合状態から、雄部材１の弾性脚１０の先端側に設けられ、かつ、雌部材２の窓穴２７から外方に突き出された当該雄部材１における頭部１５を、雌部材２の内方に押し込み操作して前記掛合を解いた直後の状態における雄部材１と雌部材２とをそれぞれ示しており、特に、図１４は、かかる雄部材１と雌部材２とを側方から視て、また、図１５は、雌部材２を断面にした平面視の状態として、また、図１６および図１７は縦断面の状態として、それぞれ示している。
【００２７】
また、図１８ないし図２４は、図１ないし図１７に示される例における雄部材１および雌部材２の形状の一部を変更した例を示している。
【００２８】
この実施の形態にかかるバックルは、一対の弾性脚１０、１０を備えた雄部材１と、この雄部材１の弾性脚１０を弾性変形させながら入り込ませる差し入れ開口２０を備えた雌部材２とよりなる。
【００２９】
両部材１、２共に、細長い棒状をなすベルトＨなどの巻き掛けバー１１ａ、２１ａを有する当該ベルトＨなどの取付部１１、２１を備える。
【００３０】
雄部材１にあっては、この巻き掛けバー１１ａは、この巻き掛けバー１１ａとの間にベルトＨなどの差し入れスリット１１ｂを形成するように当該巻き掛けバー１１ａと略平行に配される長方板状をなす基板部１２の両端においてそれぞれこの基板部１２から突き出される、この基板部１２の幅方向に亙る長さの一対の立ち上がり部１３間に架け渡されるように設けられている。
【００３１】
一方、雌部材２にあっても、前記巻き掛けバー２１ａは、この巻き掛けバー２１ａとの間にベルトＨなどの差し入れスリット２１ｂを形成するように当該巻き掛けバー２１ａと略平行に配される長方板状をなす基板部２２の両端においてそれぞれこの基板部２２から突き出される、この基板部２２の幅方向に亙る長さの一対の立ち上がり部２３間に架け渡されるように設けられている。
【００３２】
また、雌部材２の前記差し入れ開口２０は、この差し入れ開口２０の開口縁の輪郭形状が略長方形状をなすように形成されている。そして、かかる雌部材２は、この差し入れ開口２０の幅方向にある開口縁を形成させる一対の縦側板部２４、２４と、この差し入れ開口２０の長さ方向にある開口縁を形成させる一対の横側板部２５、２５とを有しており、これら各板部２４、２５…により前記雄部材１の弾性脚１０の、前記差し入れ開口２０に続く差し入れ空間２６を内部に有している。かかる雌部材２の前記差し入れ空間２６は、前記差し入れ開口２０と反対の側では閉塞されている。この実施の形態にあっては、前記基板部２２がかかる反対の側において前記差し入れ空間２６を閉塞しており、この基板部２２における前記巻き掛けバー２１ａに向き合った側と反対の側面が、前記差し入れ空間２６の内奥仕切面２２ａとされている。
【００３３】
一方、前記雄部材１の一対の弾性脚１０、１０は、互いのその脚軸１０ａを略平行に配し、かつ、互いの当該脚軸１０ａが仮想の一つの平面に含まれるように、間隔を開けて設けられている。すなわち、かかる雄部材１の一対の弾性脚１０、１０は、それぞれ、この雄部材１における前記基板部１２の前記巻き掛けバー１１ａと反対の側に一端側を一体に連接させた状態で、同じ向きに突き出すように設けられている。
【００３４】
この雄部材１の一対の弾性脚１０、１０は、それぞれ、その先端側に頭部１５を有する。この頭部１５は、当該一対の弾性脚１０、１０の前記雌部材２内への差し入れ方向Ｓに概沿った四つの周側面と、前端面１５ｅおよび後端面１５ｆを有している。そして、この一対の弾性脚１０、１０は、それぞれ、かかる頭部１５の四つの周側面のうち、当該頭部１５における他方の弾性脚１０に向き合わない側にある外側面１５ａを、前記雌部材２の縦側板部２４の内面２４ａに摺接させる向きで、当該雌部材２の前記差し入れ開口２０より当該雌部材２の前記差し入れ空間２６内に差し入れられる構成としてある。
【００３５】
より詳細には、かかる頭部１５の四つの周側面のうち、当該頭部１５における他方の弾性脚１０に向き合う側にある内側面１５ｂは前記外側面１５ａと同じ縦向きにあり、この外側面１５ａおよび内側面１５ｂ間に亙る上下側面１５ｃ、１５ｄは、横向きに設けられている。
【００３６】
また、この実施の形態にあっては、弾性脚１０における基部と前記頭部１５の前記後端面１５ｆとの間が、当該頭部１５より細い細脚部１０ｂとしてある。それと共に、かかる頭部１５の内側面１５ｂと下側面１５ｄとがそれぞれ、かかる細脚部１０ｂの外面と略同面をなすように構成してある。この結果、この実施の形態にあっては、前記頭部１５の後端面１５ｆは、主として、前記頭部１５の外側面１５ａおよび上側面１５ｃと、前記細脚部１０ｂの外面との間において、形成されている。
【００３７】
また、この実施の形態にあっては、前記雄部材１は、前記一対の弾性脚１０、１０の間に、当該弾性脚１０との間に間隔を開けて、かつ、当該弾性脚１０と略平行となるように、前記基板部１２から一体に突き出される角桿状をなす中脚１４を有している。
【００３８】
この中脚１４は、前記雌部材２の一対の横側板部２５、２５の内面２５ａ間に亙る太さを備え、かかる雌部材２内への差し入れに伴って、この一対の横側板部２５、２５間に略密に収まるようにしてある。また、この中脚１４はその差し入れ先端１４ｂを前記弾性脚１０の頭部１５における差し入れ先端、つまり、前記前端面１５ｅよりも前方に位置させる長さに構成してある。すなわち、この実施の形態にあっては、かかる中脚１４が、後述するように、前記弾性脚１０の頭部１５の上側面１５ｃを雌部材２の横側板部２５の内面２５ａに対し雌部材２内への差し入れに伴って確実かつ十分に摺接させ、この摺接により当該弾性脚１０を弾性変形させる脚体としてある。
【００３９】
また、前記雌部材２の一対の縦側板部２４、２４の内面２４ａ間の最大寸法Ｌ２よりも、前記雄部材１の一対の弾性脚１０、１０の頭部１５の前記外側面１５ａ間の寸法Ｌ１がやや大きくなるようにしてあると共に、（図４／以下、第一の寸法差構成という。）前記雌部材２の一対の横側板部２５、２５の内面２５ａ間の寸法Ｌ４よりも、前記雄部材１の一対の弾性脚１０、１０の頭部１５の前記上側面１５ｃと、この上側面１５ｃと反対の側にある前記中脚１４の横側下面１４ａとの間の寸法Ｌ３がやや大きくなるようにしてある。（図５および図６／以下、第二の寸法差構成という。）なお、この実施の形態にあっては、前記一対の縦側板部２４、２４は、前記差し入れ開口２０側から窓穴２７の縦向きの窓縁部２７ａ側に亙って、次第に内側に突き出すように傾斜している。
【００４０】
また、前記雄部材１の一対の弾性脚１０、１０の頭部１５よりも前記中脚１４が太く、かかる頭部１５の前記下側面１５ｄがかかる中脚１４の横側下面１４ａよりも上方に位置される構成としてある。
【００４１】
さらに、前記一対の弾性脚１０、１０の前端面１５ｅと上側面１５ｃおよび外側面１５ａとの間のコーナーにはそれぞれ、この弾性脚１０の基部側に向けて当該頭部１５を太める向きの面取り状の傾斜面１５ｇが形成してある。
【００４２】
この結果、この実施の形態にあっては、前記雌部材２の差し入れ開口２０から前記雄部材１の一対の弾性脚１０の側を差し入れることに伴って、先立って前記雌部材２の横側板部２５の内面２５ａに摺接される前記中脚１４により、前記頭部１５の外側面１５ａを雌部材２の縦側板部２４の内面２４ａに、かつ、当該頭部１５の上側面１５ｃを当該雌部材２の横側板部２５の一方の内面２５ａに摺接させて、前記第一および第二の寸法差構成による寸法差分、一対の弾性脚１０、１０を主としてその基部側を中心に、内向きで、かつ、前記頭部１５の上側面１５ｃの摺接される側と反対の前記雌部材２の横側板部２５側に向けて、いわば、斜め下向きに弾性変形させることができる。（図７〜図９）  なお、前記頭部１５の傾斜面１５ｇにより、前記雌部材２の差し入れ開口２０からの前記雄部材１の一対の弾性脚１０、１０の側の当該雌部材２の差し入れ空間２６内への差し入れは円滑なものとされる。また、前記雌部材２の一対の縦側板部２４、２４は、前記向きの傾斜を備えていることから、当該雌部材２内への前記弾性脚１０の差し入れに伴って当該弾性脚１０は次第に内向きに撓み込まされるものとされ、かかる差し入れを無理なくなすことが可能としてある。
【００４３】
一方また、前記雄部材１の前記基板部１２は、前記雌部材２の差し入れ開口２０に入り込まない大きさに形成されており、この雄部材１の基板部１２が雌部材２の差し入れ開口２０縁に突き当たる位置から先への雌部材２内への前記弾性脚１０の入り込みは阻止される。（図１０、図１１／以下、この位置を最大差入位置Ｓａという。）
【００４４】
そして、この実施の形態にあっては、前記雌部材２に、かかる最大差入位置Ｓａにおいて、前記のように弾性変形された一対の弾性脚１０、１０の頭部１５が、この弾性脚１０の弾性復帰によりそれぞれ突き出される大きさを備えた一対の窓穴２７が設けられている。
【００４５】
この実施の形態にあっては、かかる窓穴２７は、前記雌部材２の縦側板部２４とこの縦側板部２４に続く両横側板部２５とに亙って、これら各板部２４、２５の一部を切欠くようにして形成してある。この窓穴２７は、前記雄部材１の弾性脚１０の差し入れ方向Ｓにおいて、この雄部材１の前記弾性脚１０の頭部１５の前端面１５ｅから後端面１５ｆに亙る長さ以上の長さを備え、かつ、前記雌部材２の内側に向けて、前記頭部１５の外側面１５ａと内側面１５ｂとの間隔以上の深さで、当該横側板部２５を割り欠くように構成してある。
【００４６】
この結果、かかる窓穴２７は、少なくとも、前記差し入れ開口２０の側において、前記縦側板部２４側の縦向きの窓縁部２７ａと、前記横側板部２５側の横向きの窓縁部２７ｂとを備えている。
【００４７】
これにより、前記のように雌部材２に前記一対の弾性脚１０、１０の側を差し入れ、前記のようにこの一対の弾性脚１０、１０を弾性変形させた前記雄部材１を、前記最大差入位置Ｓａまでさらに差し入れることで、前記頭部１５は前記窓穴２７から突き出し可能とされる。すなわち、かかる最大差入位置Ｓａまでの雄部材１の一対の弾性脚１０、１０側の雌部材２内への差し入れにより、前記一対の弾性脚１０、１０をそれぞれ、当該弾性脚１０の主としてその基部側を中心に、外向きで、かつ、前記頭部１５の上側面１５ｃの摺接される側の前記雌部材２の横側板部２５側に向けて、いわば、斜め上向きに弾性復帰させることができる。（図１０〜図１３）
【００４８】
そして、この弾性脚１０の弾性復帰により、前記頭部１５の後端面１５ｆのうち、当該頭部１５の外側面１５ａの向き側にある後端面１５ｆを、前記窓穴２７の縦向きの窓縁部２７ａに、そしてまた、前記頭部１５の後端面１５ｆのうち、当該頭部１５の上側面１５ｃの向き側にある後端面１５ｆを、前記窓穴２７の横向きの窓縁部２７ｂに、それぞれ掛合されるように位置付けることができる。
【００４９】
これにより、前記取付部１１、２１をもって取り付けられた、より具体的には、前記差し入れスリット１１ｂ、２１ｂを通じて前記巻き掛けバー１１ａ、２１ａに巻き掛けられるなどされて雌部材２および雄部材１にそれぞれ取り付けられたベルトＨなどを、前記掛合により留め合わされたかかる雌部材２および雄部材１を介してワンタッチで連結状態にすることができる。
【００５０】
また、この実施の形態にあっては、前記弾性脚１０における細脚部１０ｂが、この細脚部１０ｂの突き出し方向に略直交する向きの断面形状を、この細脚部１０ｂの長さ方向いずれの箇所においても略一様とするように構成してあると共に、この断面形状が、前記雌部材２への差し入れ方向Ｓに沿った縦方向にある仮想の面Ｍに対し、斜めに交叉する向きに長くなるように構成してある。
【００５１】
より詳細には、かかる弾性脚１０の細脚部１０ｂは、前記頭部１５の上側面１５ｃ側から下側面１５ｄ側に向けて次第に幅広の両面１０ｃ、１０ｃの双方を当該頭部１５の外側面１５ａ側に近付ける向きに当該幅広の両面１０ｃ、１０ｃを傾斜させるように、前記断面形状において、この細脚部１０ｂの脚軸１０ａを通る前記仮想面Ｍに対し、斜めに交叉する向きに長くなる、板状に構成してある。
【００５２】
この結果、この実施の形態にあっては、前記最大差入位置Ｓａにおいて前記窓穴２７における縦向きの窓縁部２７ａおよび横向きの窓縁部２７ｂの双方に前記頭部１５の後端面１５ｆを掛合させるようにした当該頭部１５を、かかる窓穴２７を利用して前記外側面１５ａ側から内向きに押圧すると、概、前記細脚部１０ｂの断面において薄い向き、すなわち、この細脚部１０ｂの幅狭方向に向けて当該細脚部１０ｂは弾性変形され、これにより、前記頭部１５は斜め下向きに移動される。（図１４〜図１７）そして、この頭部１５の移動により、この頭部１５と前記窓穴２７との掛合を解いて、前記雌部材２内から雄部材１の一対の弾性脚１０、１０を抜き出させ、両部材１、２に取り付けられた前記ベルトＨなどの連結状態を解除することができる。
【００５３】
この連結状態の解除操作は、片手の指二本により、前記雌部材２の一対の窓穴２７、２７のそれぞれから突き出されている前記雄部材１の一対の弾性脚１０、１０の頭部１５を同時に押圧しながら、この頭部１５を雌部材２の差し入れ開口２０側にスライド状に移動させるように操作することにより、なすことができる。両部材１、２に取り付けられているベルトＨなどに張力が加わっている場合、かかる頭部１５の押圧をなして当該頭部１５と前記窓穴２７との掛合を解くと、その後特に雌部材２内から雄部材１を抜き出させるように前記頭部１５をスライド状に移動させるように操作したり、雄部材１を別途引っ張らなくても、かかる張力により雄部材１は雌部材２内から抜き出される。
【００５４】
また、この実施の形態にかかるバックルによれば、前記頭部１５を、前記窓穴２７に対し、この窓穴２７の前記差し入れ開口２０側にある縦向きの窓縁部２７ａと横向きの窓縁部２７ｂとの双方において、前記斜め上向きの弾性脚１０の弾性復帰により十分な掛合代を持たせて掛合させることができ、かかる掛合力を比較的強固なものとすることができる。
【００５５】
また、前記斜め上向きの弾性脚１０の弾性復帰により、前記頭部１５の前記上側面１５ｃを、この頭部１５の掛合される前記横向きの窓縁部２７ｂに続く前記雌部材２の横側板部２５の外面との間に外観上目立つギャップを生じさせないように前記掛合時において位置付けることができ、かかる頭部１５の上側面１５ｃが位置付けられる側の当該雌部材２の横側板部２５の外面を化粧面、つまり、バックル正面Ｆとするようにバックルを構成した場合における当該バックルの外観性を向上させることができる。
【００５６】
なお、この実施の形態にあっては、前記雄部材１の頭部１５に掛合される、前記差し入れ開口２０側にある前記窓穴２７の横向きにある窓縁部２７ｂが、かかる差し入れ開口２０に近付くに連れて次第に、前記雄部材１の差し入れ方向Ｓにおける当該窓穴２７の幅、（すなわち、この横向きにある窓縁部２７ｂとこれに対向する前記取付部２１の側にある横向きの窓縁部との間の間隔）を広げるように傾斜した構成としてある。また、前記雄部材１の弾性脚１０の頭部１５における前記後端面１５ｆが、この後端面１５ｆが掛合される前記窓穴２７の横向きにある窓縁部２７ｂの前記傾斜に倣った傾斜を備えた構成としてある。この結果、前記取付部１１、２１に取り付けられたベルトＨなどに張力が加われば加わるほど、この張力により雌部材２内から抜き出される向きに引っ張られる雄部材１の前記頭部１５は前記窓穴２７の外方に突き出す向きに案内され、こうした張力により予期せず前記掛合が解かれる事態が生じ難いものとしてある。
【００５７】
また、この実施の形態にあっては、前記雌部材２における差し入れ空間２６が、前記雄部材１の差し入れ方向Ｓに沿って、この雌部材２の前記一対の横側板部２５、２５間に亙るように間隔を開けて設けられた一対の仕切り板２８、２８により区分された構成としてあり、この一対の仕切り板２８、２８間に、この一対の仕切り板２８、２８の対向面によりガイドしながら、前記中脚１４が差し入れられる構成としてある。
【００５８】
なお、前記雌部材２の横側板部２５の内面２５ａには、前記差し入れ開口２０の開口縁において外方に開放され、かつ、この開口縁から前記一対の仕切り板２８、２８間に続き、前記内奥仕切面２２ａに至る溝２９が設けてあり、この溝２９は、前記差し入れ開口２０の開口縁側において、前記一対の仕切板２８、２８間に前記中脚１４を入れ込み易くするように、溝幅を広くして構成してある。
【００５９】
前記雄部材１をプラスチック材料により射出成形などの手法で一体に成形することにより、前記弾性脚１０に所要の弾性変形特性を付与することができる。雌部材２も同様にプラスチック材料により構成してあることもある。
【００６０】
雌部材２および雄部材１の形状は、必要に応じて適宜変更することができる。
【００６１】
例えば、雌部材２における縦側板部２４がその中央側に向かうに連れて外方に次第に突き出すように、当該縦側板部２４を、当該雌部材２の幅方向に沿った縦断面形状において湾曲状をなすものとして形成してあることもある。（図１８ないし図２０）この場合には、雄部材１の弾性脚１０における頭部１５の外側面１５ａならびに上側面１５ｃが、かかる雌部材２の窓穴２７への当該頭部１５の掛合時に当該雌部材２の前記縦側板部２４の外面に略沿った状態で、当該頭部１５が当該窓穴２７から突き出されるように、当該頭部１５の外側面１５ａならびに上側面１５ｃを前記縦側板部２４の外面の湾曲に倣った湾曲面として構成することが、雄部材１と雌部材２との掛合時の外観を向上させる観点から、好ましい。
【００６２】
また、例えば、雌部材２における縦側板部２４が、一方の横側板部２５側から他方の横側板部２５側に向けてその一部を次第に内向きに傾斜させるように、当該縦側板部２４を、当該雌部材２の幅方向に沿った縦断面形状において傾斜部２４ｂを有するように形成してあることもある。（図２１ないし図２３）この場合には、雄部材１の弾性脚１０における頭部１５の外側面１５ａが、かかる雌部材２の窓穴２７への当該頭部１５の掛合時に当該雌部材２の前記縦側板部２４の外面に略沿った状態で、当該頭部１５が当該窓穴２７から突き出されるように、当該頭部１５の外側面１５ａが前記縦側板部２４の傾斜部２４ｂの傾斜に倣った傾斜面１５ａ’を備えるように構成することが、雄部材１と雌部材２との掛合時の外観を向上させる観点から、好ましい。
【００６３】
また、雄部材１における弾性脚１０の細脚部１０ｂが、その脚軸１０ａに直交する向きの断面形状において、略円形状をなすように構成してあることもある。（図２４）このように弾性脚１０の細脚部１０ｂを構成した場合、弾性脚１０はどの向きにも撓み変形させ易いことから、この場合にあっても、前記雄部材１と雌部材２との掛合状態において、当該雄部材１の弾性脚１０の頭部１５における後端面１５ｆが前記雌部材２の窓穴２７における縦向きの窓縁部２７ａおよび横向きの窓縁部２７ｂの双方からの掛合を解くように、当該窓穴２７から突き出されている前記頭部１５を押圧操作すること、すなわち、当該頭部１５を前記斜め下向き移動させるように前記細脚部１０ｂを弾性変形させることができる。
【００６４】
【発明の効果】
この発明にかかるバックルによれば、雄部材と雌部材との掛合の解除操作を片手でも解き易いサイドリリースタイプのバックルでありながら、バックルの使用上正面となる側において雄部材の弾性脚の頭部と、この頭部が掛合される雌部材の窓穴縁部との間に、当該掛合時に外観上目立つ段差が形成され難いようにして、バックルの外観性を向上させることができる。また、雄部材の弾性脚の頭部と雌部材の窓穴との掛合を、向きの異なる二つの位置でなさしめることにより、当該掛合力を高く確保することができる。
【図面の簡単な説明】
【図１】バックルの分離斜視図
【図２】バックルの分離斜視図
【図３】雄部材１の一部を破断して表したバックルの側面図（分離状態）
【図４】雌部材２を断面にして表したバックルの平面図（分離状態）
【図５】図４におけるＡ−Ａ線断面図
【図６】雌部材２の側面図
【図７】雄部材１の一部を破断して表したバックルの側面図（差し入れ、または、抜き出し途中の状態）
【図８】雌部材２を断面にして表したバックルの平面図（差し入れ、または、抜き出し途中の状態）
【図９】図４におけるＢ−Ｂ線断面図
【図１０】雄部材１の一部を破断して表したバックルの側面図（掛合状態）
【図１１】雌部材２を断面にして表したバックルの平面図（掛合状態）
【図１２】図１１におけるＣ−Ｃ線断面図
【図１３】図１１におけるＤ−Ｄ線断面図
【図１４】雄部材１の一部を破断して表したバックルの側面図（掛合解除操作状態）
【図１５】雌部材２を断面にして表したバックルの平面図（掛合解除操作状態）
【図１６】図１５におけるＥ−Ｅ線断面図
【図１７】図１５におけるＦ−Ｆ線断面図
【図１８】図１ないし図１７に示される例と形状の一部を変更した例を、雌部材２を断面にして表したバックルの平面図（掛合状態）
【図１９】図１８におけるＧ−Ｇ線断面図
【図２０】図１８におけるＨ−Ｈ線断面図
【図２１】図１ないし図１７に示される例および図１８ないし図２０に示される例と形状の一部を変更した例を、雌部材２を断面にして表したバックルの平面図（掛合状態）
【図２２】図２１におけるＩ−Ｉ線断面図
【図２３】図２１におけるＪ−Ｊ線断面図
【図２４】図１ないし図１７に示される例と弾性脚１０の細脚部１０ｂの形状を変更した例を、図１１におけるＣーＣ線相当位置で断面にして示した構成図
【符号の説明】
Ｈ  ベルト
１  雄部材
１０  弾性脚
１１  取付部
１５  頭部
２  雌部材
２０  差し入れ開口
２１  取付部
２４  縦側板部
２５  横側板部
２７  窓穴
２７ａ  窓縁部
２７ｂ  窓縁部
【図１】
0004149038.tif 000002
【図２】
0004149038.tif 000003
【図３】
0004149038.tif 000004
【図４】
0004149038.tif 000005
【図５】
0004149038.tif 000006
【図６】
0004149038.tif 000007
【図７】
0004149038.tif 000008
【図８】
0004149038.tif 000009
【図９】
0004149038.tif 000010
【図１０】
0004149038.tif 000011
【図１１】
0004149038.tif 000012
【図１２】
0004149038.tif 000013
【図１３】
0004149038.tif 000014
【図１４】
0004149038.tif 000015
【図１５】
0004149038.tif 000016
【図１６】
0004149038.tif 000017
【図１７】
0004149038.tif 000018
【図１８】
0004149038.tif 000019
【図１９】
0004149038.tif 000020
【図２０】
0004149038.tif 000021
【図２１】
0004149038.tif 000022
【図２２】
0004149038.tif 000023
【図２３】
0004149038.tif 000024
【図２４】
0004149038.tif 000025